(57)【要約】【課題】建物の断熱ラインを形成容易にするフレーム構造体、サッシユニット及び開口部構造を提供する。【解決手段】本発明に係るフレーム構造体は、サッシ枠を建物の構造躯体に取付可能とするフレーム構造体であって、前記サッシ枠を取付可能な第１縦フレーム部と、前記第１縦フレーム部と一体で構成されている、又は、前記第１フレーム部に取り付けられている横フレーム部と、前記横フレーム部と一体で構成されている、又は、前記横フレーム部に取り付けられている第２縦フレーム部と、を備え、前記第１縦フレーム部と前記第２縦フレーム部とは、前記横フレーム部の幅方向において離間した位置に配置されている。【選択図】図２
2019116790.tif 000002
【特許請求の範囲】
【請求項１】
サッシ枠を建物の構造躯体に取付可能とするフレーム構造体であって、
前記サッシ枠を取付可能な第１縦フレーム部と、
前記第１縦フレーム部と一体で構成されている、又は、前記第１フレーム部に取り付けられている横フレーム部と、
前記横フレーム部と一体で構成されている、又は、前記横フレーム部に取り付けられている第２縦フレーム部と、を備え、
前記第１縦フレーム部と前記第２縦フレーム部とは、前記横フレーム部の幅方向において離間した位置に配置されていることを特徴とするフレーム構造体。
【請求項２】
前記横フレーム部は、鉛直方向の異なる位置に複数設けられており、
前記第１縦フレーム部は、鉛直方向において前記複数の横フレームに挟まれる位置に配置されており、
前記第２縦フレーム部は、前記複数の横フレーム部に対して前記幅方向の一方側の位置に配置されていることを特徴とする、請求項１に記載のフレーム構造体。
【請求項３】
前記第２縦フレーム部は、前記横フレーム部よりも鉛直方向の上方及び下方にそれぞれ突出し、前記建物の前記構造躯体に取り付け可能な躯体取付部を備えることを特徴とする、請求項１又は２に記載のフレーム構造体。
【請求項４】
前記幅方向において、前記第１縦フレーム部と、前記第２縦フレーム部と、は重なる位置に配置されていることを特徴とする、請求項１乃至３のいずれか１つに記載のフレーム構造体。
【請求項５】
前記第１縦フレーム部は、前記サッシ枠を取付可能な取付面を備え、
前記取付面は、前記第１縦フレーム部のうち、前記幅方向において前記第２縦フレーム部が位置する側と反対側の面により構成されていることを特徴とする、請求項１乃至４のいずれか１つに記載のフレーム構造体。
【請求項６】
サッシ枠と、
前記サッシ枠を、直接的に、及び／又は、別部材を介して間接的に、取り付けられている横フレーム部と、
前記横フレーム部と一体で構成されている、又は、前記横フレーム部に取り付けられている縦フレーム部と、を備え、
前記サッシ枠と前記縦フレーム部とは、前記横フレーム部の幅方向において離間した位置に配置されていることを特徴とするサッシユニット。
【請求項７】
開口部を区画する外壁部の周囲端面に沿って配置されているサッシ枠と、
前記サッシ枠が、直接的に、及び／又は、別部材を介して間接的に、取り付けられている横フレーム部と、
前記横フレーム部と一体で構成されている、又は、前記横フレーム部に取り付けられている縦フレーム部と、を備え、
前記サッシ枠と前記縦フレーム部とは、前記横フレーム部の幅方向において離間した位置に配置されていることを特徴とする開口部構造。
【発明の詳細な説明】
【技術分野】
【０００１】
本発明は、フレーム構造体、サッシユニット及び開口部構造に関する。
【背景技術】
【０００２】
従来から、サッシ枠を含むサッシを建物の構造躯体に取り付けるために、フレーム構造体が使用されている。特許文献１には、この種のフレーム構造体として、縦フレームと横フレームとを組み合わせて構成されサッシを建物の躯体に取り付けるための開口パネルが開示されている。
【先行技術文献】
【特許文献】
【０００３】
【特許文献１】特開平５−３０２３８５号公報
【発明の概要】
【発明が解決しようとする課題】
【０００４】
しかしながら、特許文献１では、開口パネルを用いてサッシを建物の躯体に取り付けることは記載されているが、開口パネルを用いた際の建物の断熱ラインの形成方法や形成位置については、何ら言及されていない。
【０００５】
そこで本発明は、建物の断熱ラインを形成容易にするフレーム構造体、サッシユニット及び開口部構造を提供することを目的とする。
【課題を解決するための手段】
【０００６】
本発明の第１の態様としてのフレーム構造体は、サッシ枠を建物の構造躯体に取付可能とするフレーム構造体であって、前記サッシ枠を取付可能な第１縦フレーム部と、前記第１縦フレーム部と一体で構成されている、又は、前記第１フレーム部に取り付けられている横フレーム部と、前記横フレーム部と一体で構成されている、又は、前記横フレーム部に取り付けられている第２縦フレーム部と、を備え、前記第１縦フレーム部と前記第２縦フレーム部とは、前記横フレーム部の幅方向において離間した位置に配置されていることを特徴とするものである。
【０００７】
本発明の１つの実施形態として、前記横フレーム部は、鉛直方向の異なる位置に複数設けられており、前記第１縦フレーム部は、鉛直方向において前記複数の横フレームに挟まれる位置に配置されており、前記第２縦フレーム部は、前記複数の横フレーム部に対して前記幅方向の一方側の位置に配置されていることが好ましい。
【０００８】
本発明の１つの実施形態として、前記第２縦フレーム部は、前記横フレーム部よりも鉛直方向の上方及び下方にそれぞれ突出し、前記建物の前記構造躯体に取り付け可能な躯体取付部を備えることが好ましい。
【０００９】
本発明の１つの実施形態として、前記幅方向において、前記第１縦フレーム部と、前記第２縦フレーム部と、は重なる位置に配置されていることが好ましい。
【００１０】
本発明の１つの実施形態として、前記第１縦フレーム部は、前記サッシ枠を取付可能な取付面を備え、前記取付面は、前記第１縦フレーム部のうち、前記幅方向において前記第２縦フレーム部が位置する側と反対側の面により構成されていることが好ましい。
【００１１】
本発明の第２の態様としてのサッシユニットは、サッシ枠と、前記サッシ枠を、直接的に、及び／又は、別部材を介して間接的に、取り付けられている横フレーム部と、前記横フレーム部と一体で構成されている、又は、前記横フレーム部に取り付けられている縦フレーム部と、を備え、前記サッシ枠と前記縦フレーム部とは、前記横フレーム部の幅方向において離間した位置に配置されていることを特徴とするものである。
【００１２】
本発明の第３の態様としての開口部構造は、開口部の周囲を区画する、外壁部の周囲端面に沿って配置されているサッシ枠と、前記サッシ枠が、直接的に、及び／又は、別部材を介して間接的に、取り付けられている横フレーム部と、前記横フレーム部と一体で構成されている、又は、前記横フレーム部に取り付けられている縦フレーム部と、を備え、前記サッシ枠と前記縦フレーム部とは、前記横フレーム部の幅方向において離間した位置に配置されていることを特徴とするものである。
【発明の効果】
【００１３】
本発明によれば、建物の断熱ラインを形成容易にするフレーム構造体、サッシユニット及び開口部構造を提供することができる。
【図面の簡単な説明】
【００１４】
【図１】本発明の一実施形態としての開口部構造を示す図であると共に、開口部構造の破線で囲まれている部分を拡大して示す図である。
【図２】図１に示す開口部構造を構成する、本発明の一実施形態としてのフレーム構造体を示す斜視図である。
【図３】図２に示すフレーム構造体にサッシ枠が取り付けられて構成される、本発明の一実施形態としてのサッシユニットを示す斜視図である。
【図４】図１に示す開口部構造の変形例を示す図である。
【図５】本発明の一実施形態としての開口部構造を示す図である。
【発明を実施するための形態】
【００１５】
以下、本発明に係る開口部構造及び建物について、図１〜図５を参照して例示説明する。各図において共通する部材・部位には同一の符号を付している。
【００１６】
図１は、本発明の一実施形態としての開口部構造を示す図である。図１は、開口部構造の水平断面を示している。また、図１の開口部構造のうち破線で囲まれている部分を別途拡大して右下に示している。図２は、図１に示す開口部構造の一部を構成する、本発明の一実施形態としてのフレーム構造体１００を示す斜視図である。また、図３は、図２に示すフレーム構造体１００にサッシ枠３を取り付けることで構成される、図１に示す開口部構造の一部を構成するサッシユニット２００の分解図である。まず、図１に示す開口部構造を備える建物の概略について説明する。
【００１７】
本実施形態の建物は、例えば鉄骨造の軸組みを有する２階建ての住宅であり、鉄筋コンクリート造の基礎と、柱や梁などの軸組部材で構成された軸組架構を有し、基礎に固定された上部構造体と、で構成される。なお、軸組架構を構成する軸組部材は、予め規格化（標準化）されたものであり、予め工場にて製造されたのち建築現場に搬入されて組み立てられる。
【００１８】
上部構造体の軸組架構は、複数の柱及び複数の梁などから構成されている。軸組架構の外周部には、外周壁を構成する外装材等が配置される。また、軸組架構の層間部には、床部を構成する床スラブ材等が配置される。更に、軸組架構の上部には、陸屋根を構成する屋根床スラブ材等が配置される。
【００１９】
建物の外周壁は、例えば、表面側に防水層としての塗膜が形成された軽量気泡コンクリート（ＡＬＣ）からなるパネル状の外装材を連接されて構成された外部仕上げ層と、例えば、フェノールフォーム等の発泡樹脂系のパネル状の断熱材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、この構成に限定されるものではない。外周壁は、少なくとも所定の防耐火性能及び防水性能を有している。なお、本実施形態の建物は、所謂「外断熱構造」を備えており、軸組架構を構成する柱及び梁に対して、外周壁の厚み方向における屋外側に、断熱材が配置されている。
【００２０】
建物の床部は、床スラブ材を含む。床スラブ材は、軸組架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階としての１階の天井面を構成する天井内装材や、床スラブ材上に積層された、上階としての２階の床面を構成するフローリング等の床内装材などを含むものであってもよい。
【００２１】
なお、陸屋根を構成する屋根床スラブ材についても、ＡＬＣパネルを用いることができるが、ＡＬＣパネルに限られるものではない。また、屋根床スラブ材は、例えば塩化ビニル樹脂から形成されている防水シート等により覆われることにより、防水処理が施されている。また、建物の屋根は、陸屋根に限らず、スレート等の屋根外装材を用いた勾配屋根としてもよい。
【００２２】
次に、図１〜図３を参照して、開口部構造について説明する。
【００２３】
図１に示すように、外壁部１には開口部２が形成されている。開口部２は、外壁部１の開口部２に面する周囲端面により区画されている。以下、外壁部１の厚み方向Ａの屋外側を単に「屋外側」と記載し、外壁部１の厚み方向Ａの屋内側を単に「屋内側」と記載する場合がある。図１では、開口部構造に対して上側が屋外側であり、開口部構造に対して下側が屋内側である。
【００２４】
外壁部１とは、建物の屋内空間と屋外空間とを区画する壁であり、上述した外周壁は、外壁部１の一態様である。
【００２５】
より具体的に、本実施形態の外壁部１は、屋外空間に面するパネル状の外装材１ａと、外壁部１の厚み方向Ａにおいて外装材１ａの屋内側に位置するパネル状の断熱材１ｂと、厚み方向Ａにおいて断熱材１ｂの屋内側に位置し、石膏ボートと石膏ボード表面に貼設された壁クロス等の仕上げ材とで構成された内装材１ｃと、を備えている。また、本実施形態の断熱材１ｂは、軸組架構を構成する柱及び梁に対して、外壁部１の厚み方向Ａで屋外側に位置している。そして、本実施形態の外壁部１の気密ラインは、断熱ラインの屋内側に形成されている。
【００２６】
開口部２は、外壁部１に形成されている、窓や出入り口などの開口である。図１に示す開口部構造では、開口部２として窓を示しているが、例えば、屋内空間と屋外空間とを行き来可能な出入り口であってもよい。
【００２７】
図１に示す開口部構造は、開口部２が形成されている外壁部１と、サッシ枠３と、第１縦フレーム部４と、横フレーム部５（図２、図３参照）と、第２縦フレーム部６と、建具１０と、を備えている。
【００２８】
なお、本実施形態では、図２に示すように、第１縦フレーム部４、横フレーム部５、及び、第２縦フレーム部６、により、サッシ枠３を建物の構造躯体に取付可能とするフレーム構造体１００が構成されている。
【００２９】
また、本実施形態では、図３に示すように、フレーム構造体１００及びサッシ枠３により、サッシユニット２００が構成されている。図３では、説明の便宜上、フレーム構造体１００とサッシ枠３とを別々に示している。
【００３０】
サッシ枠３は、開口部２の周囲を区画する、外壁部１の周囲端面に沿って配置されている。本実施形態の開口部２には、開閉可能な建具１０が取り付けられている。したがって、本実施形態のサッシ枠３は、建具１０の周囲に位置しており、建具１０を開閉可能に保持している。なお、図１に示すように、サッシ枠３の屋内側には、木製の額縁等の内装枠９１が設けられている。
【００３１】
なお、本実施形態の建具１０は、二重にしたガラス板１０ａと、この二重にしたガラス板１０ａの枠材としての框１０ｂと、で構成されているが、この構成に限られるものではない。また、本実施形態では、開口部２に建具１０が取り付けられている例を示しているが、この構成に限らず、例えば、はめ殺し窓を設けた構成としてもよい。
【００３２】
図３に示すように、本実施形態のサッシ枠３は、開口部２の水平方向両側に位置する２つのサッシ縦枠１１と、これら２つのサッシ縦枠１１の間に架設されている２つのサッシ横枠１２と、により構成されている。図１では、サッシ枠３のうち、２つのサッシ縦枠１１が示されている。
【００３３】
サッシ縦枠１１は、アルミニウムなどの金属製の本体部１１ａと、この本体部１１ａに対してねじやビス等で締結されている、又は、嵌合されて一体化されている、塩化ビニルなどの樹脂製の断熱部１１ｂと、本体部１１ａから外壁部１の周囲端面側に向かって突出する突出板部１１ｃと、を備えている。なお、断熱部１１ｂは、本体部１１ａよりも断熱性能が高い。また、断熱部１１ｂは、本体部１１ａよりも屋内側に位置している。
【００３４】
サッシ横枠１２は、アルミニウムなどの金属製の本体部１２ａと、本体部１２ａから外壁部１の周囲端面側に向かって突出する突出板部１２ｃと、を備えている。なお、サッシ横枠１２が、本体部１２ａに対してねじやビス等で締結されている、又は、嵌合されて一体化されている、塩化ビニルなどの樹脂製の断熱部を備える構成としてもよい。
【００３５】
図１〜図３に示すように、第１縦フレーム部４には、上述のサッシ枠３を取付可能な取付面４ａが設けられており、この取付面４ａを介して、上述のサッシ枠３が取り付けられている。図１、図３に示すように、第１縦フレーム部４は、水平方向に離間して２つ設けられており、これら２つの第１縦フレーム部４の間に、サッシ枠３の一部が嵌め込まれている。より具体的に、サッシ枠３の２つのサッシ縦枠１１の本体部１１ａ及び断熱部１１ｂと、サッシ枠３の２つのサッシ横枠１２の本体部１２ａと、が２つの第１縦フレーム部４の間に厚み方向Ａの屋外側から屋内側に向かって嵌め込まれている。そして、この嵌め込みの完了は、図３に示すように、サッシ枠３のサッシ縦枠１１の突出板部１１ｃが、第１縦フレーム部４の取付面４ａに当接する位置である。また、この嵌め込みの完了は、図３に示すように、サッシ枠３のサッシ横枠１２の突出板部１２ｃが、後述する横フレーム部５の取付面５ａに当接する位置でもある（図３参照）。このように、本実施形態のサッシ枠３は、第１縦フレーム部４及び横フレーム部５に対して位置決めされている。
【００３６】
また、上述したように、サッシ枠３は、第１縦フレーム部４の取付面４ａを介して、第１縦フレーム部４に取付可能である。本実施形態において、第１縦フレーム部４の取付面４ａは、第１縦フレーム部４のうち、横フレーム部５の幅方向Ｂ（図１の開口部構造では外壁部１の厚み方向Ａと同じ方向）において、第２縦フレーム部６が位置する側と反対側の面（図１では屋外側の面）により構成されている。また、取付面４ａには、複数の挿通孔が形成されている。そして、サッシ枠３のサッシ縦枠１１の突出板部１１ｃにおいても、複数の挿通孔が形成されている。第１縦フレーム部４の取付面４ａの挿通孔と、サッシ縦枠１１の突出板部１１ｃの挿通孔と、を共に挿通するねじやビス等の締結部材を用いることにより、第１縦フレーム部４に対して、サッシ枠３を、直接的に取り付けることができる。
【００３７】
なお、本実施形態の第１縦フレーム部４は、コの字形状の断面外形を有する、鋼材から構成される長尺部材であり、底板部２１と、この底板部２１の両端から起立する第１側板部２２及び第２側板部２３と、を備えている。そして、本実施形態の第１縦フレーム部４は、コの字形状の長尺部材の開口が開口部２側に向くように鉛直方向に延在しており、屋外側に位置する第１側板部２２のうち屋外側の面により、上述の取付面４ａが構成されている。また、底板部２１は、外壁部１の外装材１ａの開口部２側の端面に当接した状態とされている。
【００３８】
更に、図３に示すように、本実施形態の第１縦フレーム部４は、鉛直方向において、複数の横フレーム部５に挟まれる位置に配置されている。具体的に、本実施形態の第１縦フレーム部４の底板部２１及び第２側板部２３は、鉛直方向において異なる位置に配置されている２つの横フレーム部５の間に挟まれて配置されている。
【００３９】
より具体的には、図２、図３に示すように、本実施形態の第１縦フレーム部４の第１側板部２２は、長手方向両端において、底板部２１及び第２側板部２３よりも突出して形成されている突出部２２ａを有する。そして、第１縦フレーム部４の底板部２１及び第２側板部２３を、第１側板部２２の突出部２２ａが横フレーム部５の取付面５ａに当接するまで、２つの横フレーム部５の間に嵌め込む。このようにすることで、第１縦フレーム部４の底板部２１及び第２側板部２３を、２つの横フレーム部５の間に配置させることができる。また、横フレーム部５の取付面５ａ、及び、第１側板部２２の突出部２２ａ、には挿通孔が形成されている。第１側板部２２の突出部２２ａを、横フレーム部５の取付面５ａに当接させた状態で、突出部２２ａの挿通孔と取付面５ａの挿通孔とに、ねじやビス等の締結部材を挿通し、突出部２２及び取付面５ａを締結することで、第１縦フレーム部４を、横フレーム部５に直接的に取り付けることができる。
【００４０】
なお、図１に示すように、第１縦フレーム部４が横フレーム部５に対して取り付けられている状態で、第１縦フレーム部４と第２縦フレーム部６とは、横フレーム部５の幅方向Ｂ（図１の開口部構造では厚み方向Ａと同じ方向）において離間した位置に配置されている。この詳細は後述する。
【００４１】
また、図１〜図３に示すように、横フレーム部５の幅方向Ｂにおいて、第１縦フレーム部４と、第２縦フレーム部６と、は重なる位置（横フレーム部５の長手方向の同じ位置）に配置されている。このような配置とすることで、開口部２を大きく確保し易くなる。この詳細についても後述する。
【００４２】
本実施形態の横フレーム部５には、サッシ枠３が、別部材としての第１縦フレーム部４を介して間接的に取り付けられている。具体的に、本実施形態のサッシ枠３は、上述したように、突出板部１１ｃ及び取付面４ａを利用することで、第１縦フレーム部４に対して直接的に取り付けられており、この第１縦フレーム部４は、上述したように、第１側板部２２の突出部２２ａと取付面５ａとを利用することで、横フレーム部５に直接的に取り付けられている。したがって、サッシ枠３は、第１縦フレーム部４を介して、間接的に横フレーム部５に対して取り付けられている。
【００４３】
更に、本実施形態の横フレーム部５には、上述した第１縦フレーム部４が直接的に取り付けられている位置とは別の位置で、サッシ枠３が直接的に取り付けられている。この詳細構成については後述する。
【００４４】
このように、本実施形態のサッシ枠３は、直接的に、横フレーム部５に取り付けられていると共に、別部材としての第１縦フレーム部４を介して間接的にも、横フレーム部５に対して取り付けられている。
【００４５】
なお、サッシ枠３は、横フレーム部５に、直接的にのみ取り付けられている構成であっても、別部材を介して間接的にのみ取り付けられている構成であっても、直接的及び間接的の両方の手段により取り付けられている構成であってもよい。サッシ枠３が横フレーム部５に、間接的にではなく、直接的にのみ、取り付けられる構成の具体例は後述する（図５参照）。
【００４６】
また、本実施形態の横フレーム部５は、上述の第１縦フレーム部４とは別体で構成されており、第１縦フレーム部４に対して、ビスやネジ等の締結部材を用いて締結されることにより、取り付けられているが、この構成に限らず、第１縦フレーム部と一体で構成されている横フレーム部としてもよい。
【００４７】
本実施形態の横フレーム部５は、鉛直方向の異なる位置に複数設けられている。具体的に、本実施形態では、２つの横フレーム部５が設けられている。
【００４８】
本実施形態の横フレーム部５は、水平方向に延在する長尺部材により構成されている。また、本実施形態の横フレーム部５は、鋼材により構成されている。そして、本実施形態の横フレーム部５は、第２縦フレーム部６に取り付けられる第１鉛直板部３１と、この第１鉛直板部３１の上端から水平方向に突出する第１水平板部３２と、この第１水平板部３２の先端から鉛直方向の下方に向かって延在する第２鉛直板部３３と、この第２鉛直板部３３の下端から第１鉛直板部３１側に向かって水平方向に延在する先端板部３４と、第１鉛直板部３１の下端から第１水平板部３２と同方向に向かって突出する第２水平板部３５と、この第２水平板部３５の先端から鉛直方向の上方に向かって延在する基端板部３６と、を備えている。
【００４９】
本実施形態の２つの横フレーム部５は、いずれも同形状を有してする。但し、２つの横フレーム部５は、上下対称になるように配置されており、第１水平板部３２同士が、鉛直方向に対向するように配置されている。したがって、上述した本実施形態の第１縦フレーム部４における底板部２１及び第２側板部２３は、図２、図３に示すように、２つの横フレーム部５の第１水平板部３２の間に挟まれて配置されている。
【００５０】
第１鉛直板部３１は、後述する第２縦フレーム部６に略平行に延在しており、ねじやビス等の締結部材を用いて締結することで、第２縦フレーム部６に取り付けられる。但し、第１鉛直板部３１を、第２縦フレーム部６に対して溶接等することにより取り付けてもよい。
【００５１】
第２鉛直板部３３は、横フレーム部５の取付面５ａを構成する。つまり、上述したサッシ枠３のサッシ横枠１２の突出板部１２ｃと、横フレーム部５の取付面５ａと、をビス等の締結部材を用いて締結することで、サッシ枠３を、横フレーム部５に取り付けることができる。このように、サッシ枠３を、直接的に横フレーム部５に対して、取り付けることができる。
【００５２】
より具体的に、サッシ横枠１２の突出板部１２ｃには複数の挿通孔が形成されている。また、横フレーム部５の取付面５ａを構成する第２鉛直板部３３においても複数の挿通孔が形成されている。したがって、ねじやビス等の締結部材を、突出板部１２ｃの挿通孔と、第２鉛直板部３３の挿通孔と、を通るように挿通し、締結することで、突出板部１２ｃを取付面５ａに締結することができる。このようにして、サッシ枠３を、横フレーム部５に対して直接的に取り付けることができる。
【００５３】
第２縦フレーム部６には、横フレーム部５が直接的に取り付けられている。
【００５４】
本実施形態の第２縦フレーム部６は、上述の横フレーム部５とは別体で構成されており、横フレーム部５に対して、ビスやネジ等の締結部材を用いて締結されることにより、取り付けられているが、この構成に限らず、横フレーム部５と一体で構成されている第２縦フレーム部としてもよい。
【００５５】
第２縦フレーム部６は、複数の横フレーム部５に対して、横フレーム部５の幅方向Ｂ（図１の開口部構造では厚み方向Ａと同じ方向）の一方側の位置に配置されている。具体的に、本実施形態の第２縦フレーム部６は、横フレーム部５の屋内側に配置されている。
【００５６】
また、本実施形態では、２つの第２縦フレーム部６が設けられている。本実施形態の各第２縦フレーム部６は、鉛直方向に延在する長尺部材により構成されている。更に、本実施形態の第２縦フレーム部６は、鋼材により構成されている。そして、第２縦フレーム部６は、横フレーム部５側に面する正面板部４１と、この正面板部４１の一端から背面側に向かって延在する側面板部４２と、この側面板部４２の後端から、正面板部４１と平行するように突出する後端板部４３と、を備えている。
【００５７】
本実施形態の２つの第２縦フレーム部６は、側面板部４２が、正面板部４１に対して開口部２側に配置されるように、左右対称に配置されている。
【００５８】
上述の横フレーム部５は、２つの第２縦フレーム部６の正面板部４１に跨るように、横フレーム部５の第１鉛直板部３１を取り付けることにより、２つの第２縦フレーム部６に対して取り付けられている。
【００５９】
また、第２縦フレーム部６は、横フレーム部５よりも鉛直方向の上方及び下方にそれぞれ突出し、建物の構造躯体に取り付け可能な躯体取付部を備えている。具体的に、本実施形態の第２縦フレーム部６は、横フレーム部５よりも鉛直方向の上方に突出し、建物の構造躯体としての鉄骨梁に取り付け可能な第１躯体取付部６ａを備える。また、本実施形態の第２縦フレーム部６は、横フレーム部５よりも鉛直方向の下方に突出し、建物の構造躯体としての鉄骨梁に取り付け可能な第２躯体取付部６ｂを備える。このように、本実施形態の第２縦フレーム部６は、上下梁に対して、ボルト及びナット、ビス、ねじ等の締結部材を用いて締結することで、取付可能である。
【００６０】
ここで、図１〜図３に示すように、第１縦フレーム部４と第２縦フレーム部６とは、横フレーム部５の幅方向Ｂにおいて離間した位置に配置されている。このような構成とすれば、第１縦フレーム部４と第２縦フレーム部６とが横フレーム部５の幅方向Ｂにおいて離間していない構成とする場合と比較して、断熱ラインを形成し易い。つまり、横フレーム部５の幅方向Ｂにおける、第１縦フレーム部４と第２縦フレーム部６との間を、断熱材の配置位置として利用することができ、第１縦フレーム部４及び第２縦フレーム部６を設けても、横フレーム部５の延在方向に沿った連続した断熱ラインを、形成し易くすることができる。
【００６１】
なお、図１に示す開口部構造では、横フレーム部５の幅方向Ｂ（図１では厚み方向Ａと同じ方向）における、第１縦フレーム部４と第２縦フレーム部６の間の位置に、外壁部１の断熱材１ｂとは別の断熱材９を配置し、外壁部１の断熱材１ｂと、開口部２に設けられ断熱性を有する建具１０と、の間で断熱ラインが分断されないようにしている。このように、第１縦フレーム部４と第２縦フレーム部６とが、横フレーム部５の幅方向Ｂにおいて離間した位置に配置される開口部構造とすることで、断熱ラインを形成し易くすることができる。
【００６２】
特に、本実施形態では、横フレーム部５の幅方向Ｂにおいて、第１縦フレーム部４と、第２縦フレーム部６と、は重なる位置に配置されている。このように配置することで、第１縦フレーム部４と第２縦フレーム部６とが横フレーム部５の幅方向Ｂにおいて重ならない構成と比較して、第１縦フレーム部４と第２縦フレーム部６とを近くに配置することができる。そのため、断熱ラインを形成し易くしつつ、開口部２を大きく確保し易くなる。
【００６３】
次に、図４を参照して、図１に示す開口部構造の変形例について説明する。図４に示す開口部構造は、図１に示す開口部構造と比較して、第１縦フレーム部の形状が相違しているが、その他の構成は同一である。
【００６４】
図４に示す第１縦フレーム部３０４は、凹形状の断面外形を有する、鋼材から構成される長尺部材であり、底板部３２１と、この底板部３２１の両端から起立する第１側板部３２２及び第２側板部３２３と、を備えている。そして、図４に示す第１縦フレーム部３０４は、凹形状の長尺部材の開口が開口部２側に向くように鉛直方向に延在しており、屋外側に位置する第１側板部３２２のうち屋外側の面により、サッシ枠３を取付可能な取付面３０４ａが構成されている。また、底板部３２１は、外壁部１の外装材１ａの開口部２側の端面に当接した状態とされている。
【００６５】
ここで、図４に示す第１縦フレーム部３０４では、厚み方向Ａと直交する方向Ｃ（図４では左右方向）における第２側板部３２３の幅が、同方向Ｃにおける第１側板部３２２の幅よりも長く、第２側板部３２３は、第１側板部３２２よりも、開口部２側に長く延在している。そして、図４に示す例では、サッシ枠３は、第１側板部３２２の取付面３０４ａのみならず、第２側板部３２３の屋外側の面にも当接した状態で位置決めされている。このようにすることで、サッシ枠３の位置決め精度を、より高めることができる。
【００６６】
次に、図５を参照して、本発明に係る開口部構造の別の実施形態について説明する。本実施形態の開口部構造は、図１、図４に示す開口部構造と比較して、第１縦フレーム部が設けられていない点で構成が相違するが、その他の構成は同一である。
【００６７】
すなわち、図５に示すサッシ枠３は、鉛直方向の上下に位置する２つの横フレーム部５の取付面５ａにより、横フレーム部５に対して取り付けられており、２つの横フレーム部５の間の位置では、別の部材により強度補強されていない。このように、サッシ枠３を、第１縦フレーム部４に取り付けることなく、横フレーム部５に直接的に取り付けるようにしてもよい。但し、サッシ枠３の補強強度を高める観点では、第１縦フレーム部４を用いることが好ましい。
【００６８】
本発明に係るフレーム構造体、サッシユニット及び開口部構造は、上述した具体的な構成に限定されるものではなく、特許請求の範囲の記載を逸脱しない限り、種々の変形・変更が可能である。例えば、図１に示す開口部構造は、予め組み上げられた図２に示すフレーム構造体１００を利用して構成されているが、現場で全てを構築した開口部構造としてもよい。同様に、図１に示す開口部構造は、予め組み上げられた図３に示すサッシユニット２００を利用して構成されているが、現場で全てを構築した開口部構造としてもよい。
【００６９】
また、図１、図４、図５に示す開口部構造では、サッシ枠３から外壁部１の断熱材１ｂ側に向かって突出し、サッシ枠３と断熱材１ｂとの間の間隙Ｙを少なくとも狭めている突出部５５が設けられている。図１では、破線で囲まれた領域を右下に拡大して示している。図１に示すように、突出部５５は、間隙Ｙを狭めているのみならず、突出部５５により、間隙Ｙを閉塞している。突出部５５としては、間隙Ｙの幅を狭めるのみの構成であってもよいが、図１に示すように、間隙Ｙを閉塞する構成とすることが好ましい。このようにすれば、間隙Ｙを通じた空気の移動を、より抑制することができる。
【００７０】
より具体的に、図１、図４、図５の突出部５５は、復元可能に変形した状態で間隙Ｙを閉塞しており、間隙Ｙの幅の変動に追従して変形可能である。つまり、突出部５５は、復元力により、間隙Ｙの幅方向の長さを変動可能なように、湾曲した状態で第２縦フレーム部６の側面板部４２に当接している。そのため、例えば間隙Ｙの幅が拡がると、突出部５５は復元力により間隙Ｙの幅方向の長さが長くなる。逆に、間隙Ｙの幅が狭まると、突出部５５は更に折れ曲がるように変形し、間隙Ｙの幅方向の長さが短くなる。このように、突出部５５によれば、間隙Ｙの幅の変動に追従して変形可能である。
【００７１】
なお、突出部５５は、サッシ枠３のサッシ縦枠１１の断熱部１１ｂの一部に設けられた、断熱材１ｂに近づくにつれて細くなる樹脂製のヒレ部により構成されている。
【産業上の利用可能性】
【００７２】
本発明は、フレーム構造体、サッシユニット、及び、開口部構造、に関する。
【符号の説明】
【００７３】
１：外壁部
１ａ：外装材
１ｂ：断熱材
１ｃ：内装材
２：開口部
３：サッシ枠
４：第１縦フレーム部
４ａ：取付面
５：横フレーム部
５ａ：取付面
６：第２縦フレーム部
６ａ：第１躯体取付部
６ｂ：第２躯体取付部
９：断熱材
１０：建具
１０ａ：ガラス板
１０ｂ：框
１１：サッシ縦枠
１１ａ：本体部
１１ｂ：断熱部
１１ｃ：突出板部
１２：サッシ横枠
１２ａ：本体部
１２ｃ：突出板部
２１：底板部
２２：第１側板部
２２ａ：突出部
２３：第２側板部
３１：第１鉛直板部
３２：第１水平板部
３３：第２鉛直板部
３４：先端板部
３５：第２水平板部
３６：基端板部
４１：正面板部
４２：側面板部
４３：後端板部
５５：突出部
９１：内装枠
１００：フレーム構造体
２００：サッシユニット
３０４：第１縦フレーム部
３０４ａ：取付面
３２１：底板部
３２２：第１側板部
３２３：第２側板部
Ｙ：間隙
Ａ：外壁部の厚み方向
Ｂ：横フレーム部の幅方向
Ｃ：体壁部の厚み方向に直交する方向
【図１】
2019116790.tif 000003
【図２】
2019116790.tif 000004
【図３】
2019116790.tif 000005
【図４】
2019116790.tif 000006
【図５】
2019116790.tif 000007